(57)【要約】【課題】DSDデータを扱う場合においても、波形情報に基づく処理を行うことができるようにする。【解決手段】録音時にDSDデバイス２からI/O５１を介して供給されてきたDSDデータはLPF５７によりPCMデータに変換される。LPF５７による変換には、タップ数が少なく、演算を容易に行うことが可能な変換、すなわち、粗い変換が用いられる。LPF５７により得られるPCMデータがメータ表示用のPCMデータとなり、そのPCMデータに基づいて、メータ表示制御部５８により、録音が行われているDSDデータの音量のメータ表示が行われる。本発明は、DSDデータを処理することが可能なパーソナルコンピュータなどに適用することができる。【選択図】図５
2006079740.tif 000002
【特許請求の範囲】
【請求項１】
DSD(Direct Stream Digital)データを録音または再生するとき、録音または再生対象の前記DSDデータを、元のオーディオ信号の波形情報を有する他の符号化方式のオーディオデータに粗変換する変換手段と、
前記変換手段による粗変換によって得られた前記オーディオデータに基づいて、前記波形情報に基づく処理を行う処理手段と
を備えることを特徴とする情報処理装置。
【請求項２】
前記処理手段は、前記DSDデータを録音または再生するときの前記波形情報に基づく処理として、前記DSDデータの音量の表示を行う
ことを特徴とする請求項１に記載の情報処理装置。
【請求項３】
前記処理手段は、前記DSDデータを録音するときの前記波形情報に基づく処理として、所定の閾値以上の音量が検出されたとき、前記DSDデータの録音を開始する
ことを特徴とする請求項１に記載に情報処理装置。
【請求項４】
前記処理手段は、前記DSDデータを録音するときの前記波形情報に基づく処理として、所定の閾値以下の音量が検出されたとき、その検出された前記DSDデータの位置を曲の切れ目と判断する
ことを特徴とする請求項１に記載に情報処理装置。
【請求項５】
DSD(Direct Stream Digital)データを録音または再生するとき、録音または再生対象の前記DSDデータを、元のオーディオ信号の波形情報を有する他の符号化方式のオーディオデータに粗変換する変換ステップと、
前記変換ステップの処理による粗変換によって得られた前記オーディオデータに基づいて、前記波形情報に基づく処理を行う処理ステップと
を含むことを特徴とする情報処理方法。
【請求項６】
DSD(Direct Stream Digital)データを録音または再生するとき、録音または再生対象の前記DSDデータを、元のオーディオ信号の波形情報を有する他の符号化方式のオーディオデータに粗変換する変換ステップと、
前記変換ステップの処理による粗変換によって得られた前記オーディオデータに基づいて、前記波形情報に基づく処理を行う処理ステップと
を含む処理をコンピュータに実行させるプログラム。
【発明の詳細な説明】
【技術分野】
【０００１】
本発明は、情報処理装置および方法、並びにプログラムに関し、特に、DSD(Direct Stream Digital)データを扱う場合においても、波形情報に基づく処理を行うことができるようにする情報処理装置および方法、並びにプログラムに関する。
【背景技術】
【０００２】
近年、レコードやカセットテープなどのアナログ音源からのオーディオ信号や、CD(Compact Disk)やDAT(Digital Audio Tape)などのディジタル音源からのディジタルオーディオデータをパーソナルコンピュータに取り込み、エフェクトやアレンジなどの各種の編集を施すことによって自分好みのオーディオデータを作成する、いわゆるDTM(Desk Top Music)が人気を博している。
【０００３】
このようなDTMにおいては、高音質化の要望も高く、例えば、４４．１KHz／１６bitの音楽CDのオーディオデータ（PCM(Pulse Code Modulation)方式によって符号化されたオーディオデータ）を、９６KHzやそれ以上のサンプリング周波数にアップサンプリングしたり、２０bit、２４bitなどの量子ビット数により再量子化したりすることが行われている。これにより、基本的に、音楽CDのものよりも高音質なオーディオデータが得られる。
【０００４】
ところで、音楽CDよりも高音質なオーディオデータのフォーマットとしてSACD(Super Audio CD)フォーマットがあり、SACDに記録されているオーディオデータの符号化方式にはDSD方式が採用されている。
【０００５】
ここで、DSD方式について簡単に説明する。
【０００６】
DSD方式は、図１に示すように、PCM方式が、例えば、サンプリング周波数４４．１KHz（以下、適宜、１fsと示す）、量子ビット数１６bitで音声信号を表すものであるのに対して、その６４倍のサンプリング周波数４４．１KHz×６４＝２．８２２４MHz（６４fs）、１bitのデータで音声信号を表す符号化方式である。図１の１つのブロックは１bitのデータを表す。
【０００７】
DSD方式によれば、音声信号のレベルの大小をパルス波形（１，０）の密度で表すことができるから、空間を伝達する音波そのものに近い波形を表現することができ、１００KHzを超える再生帯域と、高いダイナミックレンジを確保することが可能となる。
【０００８】
DSDについては特許文献１に開示されている。また、CDから取り込んだマルチビットデータ（１６bit）であるオーディオデータをDSDデータ（DSD方式により符号化されたオーディオデータ）に変換する技術が特許文献２に開示されている。さらに、DSDデータに対して、フェードイン／アウトなどの振幅成分の処理を施すことを可能にする技術が特許文献３に開示されている。
【０００９】
【特許文献１】特開平６−２３２７５５号公報
【特許文献２】特開平９−２６１０７１号公報
【特許文献３】特開平８−２７４６４４号公報
【発明の開示】
【発明が解決しようとする課題】
【００１０】
ところで、１fsの期間に６４個だけ現れるDSDデータの１，０の並びそのものは、直接、元のオーディオ信号の波形情報（振幅情報）を持たないことから、例えば、外部の機器からパーソナルコンピュータにDSDデータを取り込むときに、取り込んでいるDSDデータの音量をメータ表示させることや、所定の閾値以上の音量が検出されたときに自動的に録音を開始させることなどの、波形情報に基づく処理を行うことができないという課題があった。
【００１１】
これらの処理は、いずれも、１６bitなどの所定のbit数で元のオーディオ信号の波形情報が表されるPCMデータを扱う場合は可能な処理である。
【００１２】
本発明はこのような状況に鑑みてなされたものであり、DSDデータを扱う場合においても、波形情報に基づく処理を行うことができるようにするものである。
【課題を解決するための手段】
【００１３】
本発明の情報処理装置は、DSDデータを録音または再生するとき、録音または再生対象のDSDデータを、元のオーディオ信号の波形情報を有する他の符号化方式のオーディオデータに粗変換する変換手段と、変換手段による粗変換によって得られたオーディオデータに基づいて、波形情報に基づく処理を行う処理手段とを備えることを特徴とする。
【００１４】
処理手段は、DSDデータを録音または再生するときの波形情報に基づく処理として、DSDデータの音量の表示を行うようにすることができる。
【００１５】
処理手段は、DSDデータを録音するときの波形情報に基づく処理として、所定の閾値以上の音量が検出されたとき、DSDデータの録音を開始するようにすることができる。
【００１６】
処理手段は、DSDデータを録音するときの波形情報に基づく処理として、所定の閾値以下の音量が検出されたとき、その検出されたDSDデータの位置を曲の切れ目と判断するようにすることができる。
【００１７】
本発明の情報処理方法は、DSDデータを録音または再生するとき、録音または再生対象のDSDデータを、元のオーディオ信号の波形情報を有する他の符号化方式のオーディオデータに粗変換する変換ステップと、変換ステップの処理による粗変換によって得られたオーディオデータに基づいて、波形情報に基づく処理を行う処理ステップとを含むことを特徴とする。
【００１８】
本発明のプログラムは、DSDデータを録音または再生するとき、録音または再生対象のDSDデータを、元のオーディオ信号の波形情報を有する他の符号化方式のオーディオデータに粗変換する変換ステップと、変換ステップの処理による粗変換によって得られたオーディオデータに基づいて、波形情報に基づく処理を行う処理ステップとを含む処理をコンピュータに実行させることを特徴とする。
【００１９】
本発明の情報処理装置および方法、並びにプログラムにおいては、DSDデータを録音または再生するとき、録音または再生対象のDSDデータが、元のオーディオ信号の波形情報を有する他の符号化方式のオーディオデータに粗変換され、粗変換によって得られたオーディオデータに基づいて、波形情報に基づく処理が行われる。
【発明の効果】
【００２０】
本発明によれば、DSDデータを扱う場合においても、波形情報に基づく処理を行うことができる。
【発明を実施するための最良の形態】
【００２１】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２２】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００２３】
請求項１に記載の情報処理装置は、DSDデータを録音または再生するとき、録音または再生対象の前記DSDデータを、元のオーディオ信号の波形情報を有する他の符号化方式のオーディオデータ（例えば、PCMデータ）に粗変換する変換手段（例えば、図５のLPF５７）と、前記変換手段による粗変換によって得られた前記オーディオデータに基づいて、前記波形情報に基づく処理を行う処理手段（例えば、図５のメータ表示制御部５８）とを備えることを特徴とする。
【００２４】
請求項５に記載の情報処理方法は、DSDデータを録音または再生するとき、録音または再生対象の前記DSDデータを、元のオーディオ信号の波形情報を有する他の符号化方式のオーディオデータに粗変換する変換ステップ（例えば、図７のステップ２）と、前記変換ステップの処理による粗変換によって得られた前記オーディオデータに基づいて、前記波形情報に基づく処理を行う処理ステップ（例えば、図７のステップＳ３）とを含むことを特徴とする。
【００２５】
請求項６に記載のプログラムにおいても、各ステップが対応する実施の形態（但し一例）は、請求項５に記載の情報処理方法と同様である。
【００２６】
以下、本発明の実施の形態について図を参照して説明する。
【００２７】
図２は、本発明を適用した録音・再生システムの構成例を示す図である。
【００２８】
図２の録音・再生システムは、パーソナルコンピュータ１とDSDデバイス２が、例えば、USB(Universal Serial Bus)ケーブル３を介して接続されることによって構成される。
【００２９】
パーソナルコンピュータ１は、DSDデバイス２から供給されてきたDSDデータ（DSD方式により符号化されたオーディオデータ）をUSBケーブル３を介して受信し、受信したDSDデータを内蔵するHDD(Hard Disk Drive)に記憶（録音）させる。HDDに録音されたDSDデータは、適宜、それを対象としてユーザにより再生、編集等が行われる。
【００３０】
DSDデータの録音時には、例えば、DSDデータが、波形情報を有するPCMデータ（PCM方式により符号化されたオーディオデータ）に変換され、変換により得られたPCMデータに基づいて、図３に示すような、録音中の楽曲の音量を表すメータが表示される。録音時には、例えば、そのとき録音されている部分の音量が色の分布で表される。
【００３１】
DSDデータの１，０の並びそのものは、直接、元のオーディオ信号（DSDデータを生成する元になったオーディオ信号）の波形情報を持たず、DSDデータそのままでは、波形情報に基づく音量のメータ表示などはできないことから、一旦、メータ表示用のものとしてPCMデータへの変換が行われ、変換により得られたPCMデータに基づいてメータ表示が行われる。なお、PCMデータは、１６bitなどの所定の量子化ビット数のそれぞれのサンプル値により、元のオーディオ信号の波形情報を有するデータである。
【００３２】
これにより、ユーザは、DSDデータを録音する場合であっても、PCMデータを録音する場合と同様、録音されている部分の音量を確認しながら、それを行うことができる。
【００３３】
また、パーソナルコンピュータ１においては、DSDデータの録音時のメータ表示の他に、閾値以上の音量が検出されたときに、ユーザ操作によらずに録音を開始するDSDデータの自動録音、閾値以下の音量が検出されたときに、その検出された位置を楽曲の切れ目として判断する切れ目の自動検出処理などが、録音対象のDSDデータを変換して得られるPCMデータの波形情報に基づいて行われる。
【００３４】
さらに、録音されたDSDデータを再生するときの音量のメータ表示なども、再生対象のDSDデータを変換して得られるPCMデータの波形情報に基づいて行われる。
【００３５】
DSDデバイス２は、DSDデータを処理可能なオーディオデバイスであり、パーソナルコンピュータ１によりUSBケーブル３を介して行われる制御に従って駆動する。DSDデバイス２は、例えば、外部から入力されたアナログオーディオ信号からDSDデータを生成し、生成したDSDデータをパーソナルコンピュータ１に出力する。
【００３６】
以上のような、DSDデータを変換して得られるPCMデータの波形情報に基づいて行われるパーソナルコンピュータ１の処理についてはフローチャートを参照して後述する。
【００３７】
図４は、図２のパーソナルコンピュータ１の構成例を示すブロック図である。
【００３８】
CPU(Central Processing Unit)１１は、ROM(Read Only Memory)１２に記憶されているプログラム、または、HDD１９からRAM(Random Access Memory)１３にロードされたプログラムに従って各種の処理を実行する。RAM１３にはまた、CPU１１が各種の処理を実行する上において必要なデータなどが適宜記憶される。
【００３９】
CPU１１、ROM１２、およびRAM１３は、バス１４を介して相互に接続されている。このバス１４にはまた、入出力インタフェース１５も接続されている。
【００４０】
入出力インタフェース１５には、入力部１６、表示部１７、PCMデバイス１８、HDD１９、通信部２０、およびUSBインタフェース２１が接続される。
【００４１】
入力部１６は、キーボード、マウスなどよりなり、表示部１７は、LCD(Liquid Crystal Display)などよりなる。DSDデータの録音時、表示部１７には、図３に示すような音量のメータが表示される。
【００４２】
PCMデバイス１８は、CPU１１による制御に従って、例えば、HDD１９に記憶されているDSDデータから生成されたPCMデータを再生し、得られた音声信号を図示せぬスピーカから出力する。
【００４３】
HDD１９は、内蔵するハードディスクにDSDデータなどの各種のデータを記憶する。図４の例においては、HDD１９にはオーディオデータ処理アプリケーション３１も記憶されている。オーディオデータ処理アプリケーション３１は、CPU１１により実行され、DSDデータ、PCMデータ等のオーディオデータの処理に関する各種の機能を実現する。
【００４４】
通信部２０は、ネットワークを介しての通信処理を行い、USBインタフェース２１は、USBケーブル３を介してDSDデバイス２との間で通信を行う。DSDデバイス２からUSBインタフェース２１に対しては、上述したように、DSDデバイス２により生成されたDSDデータが供給されてくる。
【００４５】
入出力インタフェース１５にはまた、必要に応じてドライブ２２が接続される。ドライブ２２には、磁気ディスク、光ディスク、光磁気ディスク、或いは半導体メモリなどよりなるリムーバブルメディア２３が適宜装着され、リムーバブルメディア２３から読み出されたコンピュータプログラムが、必要に応じてHDD１９にインストールされる。
【００４６】
図５は、パーソナルコンピュータ１の機能構成例を示すブロック図である。図５に示すパーソナルコンピュータ１の各機能部は、図４のCPU１１によりオーディオデータ処理アプリケーション３１が実行されることによって実現される。なお、図５には、DSDデバイス２の一部の機能部も示されている。
【００４７】
オーディオデータ処理アプリケーション３１のI/O(Input/Output)５１はオーディオドライバであり、DSDデバイス２を制御するとともに、DSDデバイス２から供給されてきたDSDデータを受信し、受信したDSDデータを録音制御部５２とLPF(Low Pass Filter)５７に出力する。例えば、図６Ａに示すように、６４samples（６４fsの期間内に現れる６４個の１bit）のDSDデータが所定の数だけまとまって構成されるブロック単位のDSDデータがDSDデバイス２から供給されてくる。
【００４８】
図６Ｂは、DSDデバイス２がPCMデータも扱うことができる場合に、パーソナルコンピュータ１とDSDデバイス２の間で行われるPCMデータの送受信の単位であるブロックの例を示す図である。図６Ｂに示されるように、PCMデータの場合の送受信の単位となるブロックは、DSDデータの場合と較べて、１ブロックを構成するサブブロックの内容（DSDデータの場合は６４samples、PCMデータの場合は１sample（１６bit））だけが異なる。従って、DSDデータを扱う場合と、PCMデータを扱う場合とでは、１サブブロックの内容だけを異なるものとすれば、基本的に、同じ機構を用いることができる。
【００４９】
また、I/O５１は、ΔΣモジュレータ５６から供給されてきたDSDデータをDSDデバイス２に送信する。例えば、HDD１９に記憶されているDSDデータの再生時に、ΔΣモジュレータ５６からDSDデータが供給されてくる。
【００５０】
録音制御部５２は、I/O５１から供給されてきたDSDデータをHDD１９に記憶させる。
【００５１】
マルチビットデータ変換部５３は、例えば、DSDデータの再生時に、HDD１９から読み出されたDSDデータの足し算、掛け算の演算処理の前処理として、その演算処理において桁あふれが生じないように、DSDデータの１サンプルのデータである１bitを１，−１に置き換えるマルチビットデータへの変換を行う。マルチビットデータ変換部５３により得られたマルチビットデータは足算掛算部５４に出力される。
【００５２】
足算掛算部５４は、マルチビットデータ変換部５３から供給されてきたデータに対して、必要に応じて、足し算・掛け算によるクロスフェード処理や、掛け算によるボリューム調整処理を施し、得られたデータ（マルチビットデータ）をLPF５５に出力する。
【００５３】
LPF５５は、高域成分を除去し、得られたデータをΔΣモジュレータ５６に出力する。ここで、LPF５５により高域成分を除去するのは、DSDデータにはΔΣ変調のノイズシェーピング効果により高域に多くの量子化ノイズが含まれており、演算を繰り返すことによって量子化ノイズが蓄積され、そのようなDSDデータをそのまま再生した場合、ツィータなどのハードウェアを破壊するおそれがあるためである。
【００５４】
ΔΣモジュレータ５６は、LPF５５から供給されてきたデータにΔΣ変調を施すことによって６４fs／１bitのDSDデータを取得し、取得したDSDデータをI/O５１に出力する。ΔΣ変調のノイズシェーピング効果によって原信号と分離され、高域成分に形成された量子化ノイズはDSDデバイス２のLPF７４により除去される。なお、ΔΣモジュレータ５６により得られたDSDデータはLPF５７にも供給される。
【００５５】
LPF５７は、録音時にI/O５１から供給されてきたDSDデータ、または、再生時にΔΣモジュレータ５６から供給されてきたDSDデータをPCMデータに変換し、得られたPCMデータをメータ表示制御部５８に出力する。LPF５７により得られるPCMデータが、メータ表示用のPCMデータとなる。
【００５６】
なお、LPF５７による変換には、タップ数が少なく、演算を容易に行うことが可能な変換、すなわち、粗い変換が用いられる。すなわち、音量を表示するための波形情報を得ることができればよいだけであるから、一般的な音楽CDに記録されているものと同様の１fs／１６bitほどの量子化精度は求められず、例えば、LPF５７により得られるPCMデータは、１fs／５bitなどの量子化精度の低いデータとされる。
【００５７】
これにより、メータを表示させるためにパーソナルコンピュータ１に負荷がかかってしまうのを防止することができる。
【００５８】
メータ表示制御部５８は、LPF５７から供給されてきたPCMデータに基づいて、元のオーディオ信号の音量を算出し、算出した音量を表示部１７にメータ表示させる。
【００５９】
DSDデバイス２のΔΣモジュレータ７１は、図示せぬ外部機器から供給されてきたアナログオーディオ信号に対してΔΣ変調を施し、得られた６４fs／１bitのDSDデータをバッファ７２に出力する。なお、DSDデバイス２はダイレクトモニタリング機能を有しており、DSDデバイス２（ΔΣモジュレータ７１）に入力されるアナログオーディオ信号は出力側にも供給され、遅延なしにモニタリングされる。
【００６０】
バッファ７２は、ΔΣモジュレータ７１から供給されてきた６４fs／１bitのDSDデータをバッファリングし、図６Ａに示すようなブロックからなるDSDデータをまとめてパーソナルコンピュータ１のI/O５１に出力する。
【００６１】
バッファ７３は、パーソナルコンピュータ１のI/O５１から供給されてきたDSDデータをバッファリングし、１sampleの６４fs／１bitのDSDデータをLPF７４に出力する。
【００６２】
LPF７４は、バッファ７３から供給されてきた６４fs／１bitのDSDデータの高域に蓄積された量子化ノイズを除去し、アナログ化することによって得られたアナログオーディオ信号をスピーカ等の外部機器に出力する。
【００６３】
次に、以上のような構成を有するパーソナルコンピュータ１の動作について説明する。
【００６４】
始めに、図７のフローチャートを参照して、DSDデータを録音するパーソナルコンピュータ１の処理について説明する。
【００６５】
この処理は、例えば、パーソナルコンピュータ１にDSDデバイス２が接続された状態でオーディオデータ処理アプリケーション３１が実行され、DSDデバイス２にアナログオーディオ信号が入力されたときに行われる。DSDデバイス２にアナログオーディオ信号が入力されたとき、DSDデバイス２においては、ΔΣモジュレータ７１によりΔΣ変調が施されることによってDSDデータが生成され、生成されたDSDデータがパーソナルコンピュータ１に出力される。
【００６６】
ステップＳ１において、録音制御部５２は、DSDデバイス２から、I/O５１を介して供給されてきたDSDデータを受信し、それをHDD１９に記憶させる。I/O５１からのDSDデータはLPF５７にも供給されている。
【００６７】
ステップＳ２において、LPF５７は、I/O５１から供給されてきたDSDデータを粗変換し、粗変換により得られた、例えば、１fs／５bitなどのPCMデータをメータ表示制御部５８に出力する。
【００６８】
ステップＳ３において、メータ表示制御部５８は、LPF５７から供給されてきたPCMデータに基づいて音量をメータ表示する。
【００６９】
ステップＳ４において、録音終了か否かが判定され、録音終了であると判定されるまで、ステップＳ１に戻り、それ以降の処理が繰り返される。録音終了であると判定された場合、処理は終了される。
【００７０】
以上の処理により、ユーザは、DSDデータの録音時にも、PCMデータの録音時と同様、音量を見ながら、それを行うことができる。
【００７１】
次に、図８のフローチャートを参照して、HDD１９に記憶されているDSDデータを再生するパーソナルコンピュータ１の処理について説明する。
【００７２】
ステップＳ１１において、再生が開始される。具体的には、HDD１９に記憶されているDSDデータの６４fs／１bitがマルチビットデータ変換部５３によりマルチビットデータに変換され、変換により得られたマルチビットデータに対して、足算掛算部５４によりクロスフェード処理やボリューム調整処理が施される。また、足算掛算部５４により処理が施されることによって得られたデータの高域成分がLPF５５により除去され、LPF５５を通過したデータに対してΔΣモジュレータ５６によりΔΣ変調が施される。ΔΣ変調が施されることによって生成されたDSDデータはI/O５１によりDSDデバイス２に送信され、DSDデバイス２により出力される。
【００７３】
なお、このとき、ΔΣモジュレータ５６により得られたDSDデータはLPF５７にも供給されている。
【００７４】
ステップＳ１２以降の処理は、図７のステップＳ２以降の処理と基本的に同様である。すなわち、ステップＳ１２において、LPF５７は、ΔΣモジュレータ５６から供給されてきたDSDデータをPCMデータに粗変換し、得られたPCMデータをメータ表示制御部５８に出力する。
【００７５】
ステップＳ１３において、メータ表示制御部５８は、LPF５７から供給されてきたPCMデータに基づいて音量をメータ表示する。
【００７６】
ステップＳ１４において、再生終了か否かが判定され、再生終了であると判定された場合、処理は終了される。
【００７７】
以上の処理により、ユーザは、DSDデータの再生時にも、PCMデータの再生時と同様、音量を見ながら、それを行うことができる。
【００７８】
次に、DSDデータを変換して得られるPCMデータが有する波形情報に基づいて行われる他の処理について説明する。ここでは、DSDデータの自動録音が行われる場合について主に説明する。
【００７９】
図９は、パーソナルコンピュータ１の他の機能構成例を示すブロック図である。図９の構成は、LPF５７の出力が、メータ表示制御部５８だけでなく録音制御部５２にも供給されている点を除いて図５の構成と同じである。重複する説明については適宜省略する。
【００８０】
図９のLPF５７は、録音時にI/O５１から供給されてきたDSDデータをPCMデータに変換し、変換により得られたPCMデータを録音制御部５２とメータ表示制御部５８に出力する。メータ表示制御部５８においては、上述したように、LPF５７から供給されてきたPCMデータに基づいて音量のメータ表示が行われる。
【００８１】
録音制御部５２は、LPF５７から供給されてきたPCMデータに基づいて、DSDデバイス２により取り込まれているDSDデータ（DSDデバイス２により取り込まれ、録音制御部５２に供給されているDSDデータ）の音量を監視し、その音量が所定の閾値以上であると判定したとき、録音を開始させる。すなわち、音量がほとんど検出されない、曲が始まる前の無音区間のDSDデータなどは録音されずに、曲が始まったときに自動的に録音が開始される。
【００８２】
図１０は、図９の録音制御部５２の構成例を示すブロック図である。
【００８３】
音量判定部８１は、LPF５７から供給されてきたPCMデータに基づいて、制御部８２に供給されているDSDデータの音量が閾値以上であるか否かを判定し、閾値以上であると判定した場合、そのことを制御部８２に通知する。
【００８４】
制御部８２は、I/O５１から供給されてきたDSDデータが、閾値以上の音量のDSDデータであることが音量判定部８１から通知されてきたとき、そのDSDデータの録音を開始する。
【００８５】
ここで、図１１のフローチャートを参照して、自動録音を行うパーソナルコンピュータ１の処理について説明する。
【００８６】
この処理も、例えば、パーソナルコンピュータ１にDSDデバイス２が接続された状態でオーディオデータ処理アプリケーション３１が実行され、DSDデバイス２にアナログオーディオ信号が入力されたときに行われる。DSDデバイス２にアナログオーディオ信号が入力されたとき、DSDデバイス２においては、ΔΣモジュレータ７１によりΔΣ変調が施されることによってDSDデータが生成され、生成されたDSDデータがパーソナルコンピュータ１に出力される。
【００８７】
ステップＳ２１において、LPF５７は、DSDデバイス２から、I/O５１を介して供給されてきたDSDデータを粗変換し、粗変換により得られたPCMデータを録音制御部５２とメータ表示制御部５８に出力する。LPF５７による変換は、I/O５１からDSDデータが供給されてくる毎に繰り返され、LPF５７により得られたPCMデータが録音制御部５２とメータ表示制御部５８に繰り返し供給される。
【００８８】
ステップＳ２２において、録音制御部５２の音量判定部８１は、制御部８２に供給されているDSDデータが閾値以上の音量であるか否かを判定し、閾値以上の音量ではないと判定した場合、ステップＳ２１に戻り、それ以降の処理を行う。
【００８９】
一方、ステップＳ２２において、録音制御部５２の音量判定部８１は、制御部８２に供給されているDSDデータが閾値以上の音量であると判定した場合、そのことを制御部８２に通知し、ステップＳ２３に進み、録音を開始させる。
【００９０】
ステップＳ２４において、メータ表示制御部５８は、LPF５７から供給されてきたPCMデータに基づいて音量をメータ表示する。
【００９１】
ステップＳ２５において、音量判定部８１は、制御部８２に供給されているDSDデータが閾値以上の音量であるか否かを判定し、閾値以上の音量であると判定した場合、ステップＳ２３に戻り、制御部８２に録音を継続させる。ステップＳ２５において、制御部８２に供給されているDSDデータが閾値以上の音量ではないと判定した場合、音量判定部８１は、制御部８２に録音を終了させ、処理を終了させる。
【００９２】
これにより、ユーザ操作によらずに、DSDデータの録音開始、録音終了が行われる。
【００９３】
なお、以上においては、録音が開始された後に、閾値以下の音量が検出された場合、そこで録音が終了されるものとしたが、録音は継続され、その、閾値以下の音量が検出された位置が曲の切れ目として認識されるようにしてもよい。そのようにして認識された曲の切れ目を表す情報はHDD１９に供給され、DSDデータとともに記憶される。
【００９４】
以上においては、DSDデータから生成されるメータ表示用などのオーディオデータがPCMデータである場合について説明したが、例えば、ATRAC(Adaptive Transform Acoustic Coding)3，MP３(MPEG Audio Layer-3)，WMA(Windows（登録商標） Media Audio)などの、波形情報を有しているオーディオデータであれば、所定のフォーマットで圧縮されたデータがメータ表示用などのデータとして用いられるようにしてもよい。
【００９５】
上述した一連の処理は、ハードウェアにより実行させることもできるが、ソフトウェアにより実行させることもできる。
【００９６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００９７】
この記録媒体は、図４に示されるように、装置本体とは別に、ユーザにプログラムを提供するために配布される、プログラムが記録されている磁気ディスク（フレキシブルディスクを含む）、光ディスク（CD-ROM(Compact Disk-Read Only Memory)，DVD(Digital Versatile Disk)を含む）、光磁気ディスク（MD（登録商標）(Mini-Disk)を含む）、もしくは半導体メモリなどよりなるリムーバブルメディア２３により構成されるだけでなく、装置本体に予め組み込まれた状態でユーザに提供される、プログラムが記録されているROM１２や、HDD１９などで構成される。
【００９８】
なお、本明細書において、各ステップは、記載された順序に従って時系列的に行われる処理はもちろん、必ずしも時系列的に処理されなくとも、並列的あるいは個別に実行される処理をも含むものである。
【００９９】
また、本明細書において、システムとは、複数の装置により構成される装置全体を表すものである。
【図面の簡単な説明】
【０１００】
【図１】PCMデータとDSDデータのサンプリングの例を示す図である。
【図２】本発明を適用した録音・再生システムの構成例を示す図である。
【図３】音量のメータ表示の例を示す図である。
【図４】図２のパーソナルコンピュータの構成例を示すブロック図である。
【図５】パーソナルコンピュータの機能構成例を示すブロック図である。
【図６】DSDデータとPCMデータの送受信の単位の例を示す図である。
【図７】パーソナルコンピュータの録音処理について説明するフローチャートである。
【図８】パーソナルコンピュータの再生処理について説明するフローチャートである。
【図９】パーソナルコンピュータの他の機能構成例を示すブロック図である。
【図１０】図９の録音制御部の構成例を示すブロック図である。
【図１１】パーソナルコンピュータの他の録音処理について説明するフローチャートである。
【符号の説明】
【０１０１】
１  パーソナルコンピュータ，  ２  DSDデバイス，  ３  USBケーブル，  ５２  録音制御部，  ５７  LPF，  ５８  メータ表示制御部，  ８１  音量判定部，  ８２  制御部
【図１】
2006079740.tif 000003
【図２】
2006079740.tif 000004
【図３】
2006079740.tif 000005
【図４】
2006079740.tif 000006
【図５】
2006079740.tif 000007
【図６】
2006079740.tif 000008
【図７】
2006079740.tif 000009
【図８】
2006079740.tif 000010
【図９】
2006079740.tif 000011
【図１０】
2006079740.tif 000012
【図１１】
2006079740.tif 000013